(57)【要約】      （修正有）【課題】たとえ画像形成装置本体に外力が加わっても本体フレームの変形を抑制することができる上、シート収容部が画像形成装置本体から脱落することを防止するための構成を簡素化することができる画像形成装置を提供する。【解決手段】シート収容部２００の挿脱方向Ｙ及び上下方向Ｚの双方に直交する幅方向Ｘにおける少なくとも一方の端部には、下方に延設されて挿脱方向Ｙに沿って延びる規制部２１０が設けられている。シート収容部２００が画像形成装置本体３００に装着された状態において画像形成装置３００における本体フレーム３０１のシート収容部２００に規制部２１０が設けられる側（この例では幅方向Ｘにおける両側）の規制部２１０との対向部には、規制部２１０の下方において幅方向Ｘにおける内側に延設されて挿脱方向Ｙに沿って延びる基部３１１と、基部３１１から上方に突出して挿脱方向Ｙに沿って延びる被規制部３１２とが設けられている。【選択図】図４
2020038327.tif 000002
【特許請求の範囲】
【請求項１】
シートを収容するシート収容部を所定の挿脱方向に挿脱自在に画像形成装置本体に装着する画像形成装置であって、
前記シート収容部の前記挿脱方向及び上下方向の双方に直交する幅方向における少なくとも一方の端部には、下方に延設されて前記挿脱方向に沿って延びる規制部が設けられており、
前記画像形成装置本体における本体フレームの前記シート収容部に前記規制部が設けられる側の前記規制部との対向部には、前記規制部の下方において前記幅方向における内側に延設されて前記挿脱方向に沿って延びる基部と、前記基部から上方に突出して前記挿脱方向に沿って延びる被規制部とが設けられていることを特徴とする画像形成装置。
【請求項２】
請求項１に記載の画像形成装置であって、
前記挿脱方向における一部で前記本体フレームにおける前記被規制部を規制することを特徴とする画像形成装置。
【請求項３】
請求項２に記載の画像形成装置であって、
前記シート収容部における前記規制部は、前記基部と前記被規制部とを有するレール部との所定の第１隙間を有する第１規制領域と、前記レール部と接触する或いは前記レール部との前記第１隙間よりも狭い所定の第２隙間を有する第２規制領域とを含むことを特徴とする画像形成装置。
【請求項４】
請求項３に記載の画像形成装置であって、
前記第２規制領域は、前記シート収容部の前記幅方向における両端部に設けられていることを特徴とする画像形成装置。
【請求項５】
請求項３又は請求項４に記載の画像形成装置であって、
前記第２規制領域は、所定の第２規制第１幅の第２規制第１幅領域と、前記第２規制第１幅よりも広い所定の第２規制第２幅の第２規制第２幅領域とを含み、
前記第２規制第２幅領域は、前記第２規制第１幅領域よりも前記シート収容部の挿入方向における上流側に位置していることを特徴とする画像形成装置。
【請求項６】
請求項３から請求項５までの何れか１つに記載の画像形成装置であって、
前記第２規制領域は、前記規制部の前記挿脱方向における両端部のうち少なくとも一方の端部に設けられていることを特徴とする画像形成装置。
【請求項７】
請求項３から請求項６までの何れか１つに記載の画像形成装置であって、
前記第２規制領域は、所定の第２規制第１幅の第２規制第１幅領域と、前記第２規制第１幅よりも広い第２規制第２幅の第２規制第２幅領域と、前記第２規制第１幅よりも広い且つ前記第２規制第２幅よりも狭い第２規制第３幅の第２規制第３幅領域とを含み、
前記第２規制第２幅領域は、前記第２規制第１幅領域よりも前記シート収容部の挿入方向における上流側に位置しており、
前記第２規制第３幅領域は、前記第２規制第２幅領域と前記第２規制第１幅領域との間に位置していることを特徴とする画像形成装置。
【発明の詳細な説明】
【技術分野】
【０００１】
本発明は、シートを収容するシート収容部を所定の挿脱方向に挿脱自在に画像形成装置本体に装着する複写機、複合機、プリンター、ファクシミリ装置等の画像形成装置に関する。
【背景技術】
【０００２】
シートを収容するシート収容部を所定の挿脱方向に挿脱自在に画像形成装置本体に装着する画像形成装置では、省スペース化の観点から、装置の小型化が要求されている。しかしながら、シートのサイズは決められていることから、画像形成装置本体における本体フレームの厚み（特にシート収容部の側面に対向する部分の厚み）を薄くする必要がある。そうすると、画像形成装置の運搬時や人が画像形成装置を側面から押さえ付けるといったように画像形成装置本体における本体フレームに外力が加わると、本体フレームが変形することがあり、場合によっては、シート収容部が画像形成装置本体から脱落することもある。
【０００３】
この点に関し、特許文献１には、カセット（シート収容部）には、左右両端から幅方向外側に延びる延出部と、延出部先端から屈曲して上方に延び、カセット本体の幅方向に直交する平面にてカセットの挿抜方向に延びる所定長さの板状の部材からなる突起部とを有する係合部が設けられ、画像形成装置本体には、左側板及び右側板にそれぞれ設けられて係合部と係合できるように略凹形状を成している本体被係合部が設けられた画像形成装置が開示されている（特許文献１の段落［００３０］−［００３１］、図５等参照）。
【先行技術文献】
【特許文献】
【０００４】
【特許文献１】特開２０１５−２１２２０４号公報
【発明の概要】
【発明が解決しようとする課題】
【０００５】
しかしながら、特許文献１に記載の画像形成装置では、シート収容部における突起部が上方に延び、画像形成装置本体における本体被係合部が係合部と係合できるように略凹形状を成していることから、たとえ画像形成装置本体に外力が加わって、本体フレームの変形を抑制することができたとしても、画像形成装置本体がシート収容部を下から支えていないため、シート収容部が画像形成装置本体から脱落することを防止するための部材を画像形成装置本体に設ける必要があり、構成が複雑化する。
【０００６】
そこで、本発明は、シートを収容するシート収容部を所定の挿脱方向に挿脱自在に画像形成装置本体に装着する画像形成装置であって、たとえ画像形成装置本体に外力が加わっても本体フレームの変形を抑制することができる上、シート収容部が画像形成装置本体から脱落することを防止するための構成を簡素化することができる画像形成装置を提供することを目的とする。
【課題を解決するための手段】
【０００７】
前記課題を解決するために、本発明に係る画像形成装置は、シートを収容するシート収容部を所定の挿脱方向に挿脱自在に画像形成装置本体に装着する画像形成装置であって、前記シート収容部の前記挿脱方向及び上下方向の双方に直交する幅方向における少なくとも一方の端部には、下方に延設されて前記挿脱方向に沿って延びる規制部が設けられており、前記画像形成装置本体における本体フレームの前記シート収容部に前記規制部が設けられる側の前記規制部との対向部には、前記規制部の下方において前記幅方向における内側に延設されて前記挿脱方向に沿って延びる基部と、前記基部から上方に突出して前記挿脱方向に沿って延びる被規制部とが設けられていることを特徴とする。
【発明の効果】
【０００８】
本発明によると、たとえ画像形成装置本体に外力が加わっても本体フレームの変形を抑制することができる上、シート収容部が画像形成装置本体から脱落することを防止するための構成を簡素化することが可能となる。
【図面の簡単な説明】
【０００９】
【図１】本発明の実施の形態に係る画像形成装置における内部構造を示す概略断面図である。
【図２】図１に示す画像形成装置における本体フレーム及びシート収容部部分を示す概略斜視図である。
【図３】図２に示す本体フレーム及びシート収容部を示す分解斜視図である。
【図４】シート収容部が画像形成装置本体に装着された状態でのシート収容部による本体フレームへの規制構造を示す概略縦断面図である。
【図５】シート収容部による本体フレームへの規制構造の一例の要部を示す概略横断面図である。
【図６】図５に示す本体フレーム及びレール部を示す斜視図である。
【図７】図５に示す本体フレーム及びレール部を示す概略平面図である。
【図８】図５に示す板金フレーム及び片方のレール部の概略斜視図である。
【図９】図５に示す片方のレール部を示す概略斜視図である。
【図１０】図５に示すシート収容部における片方の規制部を示す概略斜視図である。
【図１１】シート収容部による本体フレームへの規制構造の他の例の要部を示す概略横断面図である。
【発明を実施するための形態】
【００１０】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１１】
［画像形成装置］
図１は、本発明の実施の形態に係る画像形成装置１００における内部構造を示す概略断面図である。本実施の形態に係る画像形成装置１００は、モノクロ画像形成装置とされている。なお、カラー画像形成装置であってもよい。また、画像形成装置１００は、他の形態のカラー画像形成装置であってもよい。画像形成装置１００は、画像形成ステーションＳＴ、書き込みユニット４、転写ユニット１１、定着ユニット１２、並びに、記録用紙等のシートＰを収容するシート収容部２００（具体的には給紙カセット）及び本体フレーム３０１を備えている。
【００１２】
本体フレーム３０１は、画像形成部３０、転写ユニット１１や定着ユニット１２等の画像形成装置本体３００の構成部材を支持し、画像形成装置本体３００の筐体及び支持フレームを構成している。画像形成装置１００は、シート収容部２００を所定の挿脱方向Ｙ（この例では奥行方向）に挿脱自在に画像形成装置本体３００に装着する構成とされている。本実施の形態では、画像形成装置本体３００における本体フレーム３０１は、樹脂フレーム３０１ａと板金フレーム３０１ｂとで構成されている。シート収容部２００は、樹脂フレーム３０１ａ内に収容される。シート収容部２００は、挿脱方向Ｙ及び上下方向Ｚの双方に直交する幅方向Ｘにおける一方側Ｘ１（この例では正面から視て右側）からシートＰがシート供給装置５０により画像形成部３０に供給されるようになっている。樹脂フレーム３０１ａは、幅方向Ｘにおける他方側Ｘ２の側面が開放しており、該側面には、薄型（例えば０．８ｍｍ程度）の板金フレーム３０１ｂが設けられている。また、画像形成装置本体３００は、シート収容部２００の下方が開放している（後述する図３参照）。
【００１３】
画像形成ステーションＳＴは、感光体２（具体的には感光体ドラム）、帯電ユニット３、現像ユニット５、及び、クリーニングユニット８を備えている。感光体２の周囲には、帯電ユニット３、現像ユニット５及びクリーニングユニット８がこの順で配設されている。なお、この例では、帯電ユニット３とクリーニングユニット８とは一体形成されている。
【００１４】
画像形成ステーションＳＴでは、ブラック（Ｂ）のトナーＴが収容されるトナーカートリッジ６０が現像ユニット５に着脱可能に接続され、トナーカートリッジ６０からトナーＴを現像ユニット５に供給しつつ現像ユニット５における現像剤Ｄによりブラック（Ｂ）のトナー像を感光体２上に形成する。画像形成部３０は、この例では、画像形成ステーションＳＴ及び書き込みユニット４で構成されている。なお、画像形成部３０は、さらに、転写ユニット１１及び／又は定着ユニット１２で構成されていてもよい。画像形成装置１００は、画像形成装置本体３００の上部に画像読取装置４０が設けられている。画像読取装置４０は、原稿Ｇの画像を読み取るための画像読取部４１と、原稿Ｇを搬送する原稿搬送部（図示省略）と、原稿Ｇが載置される原稿載置台４３とを備えている。
【００１５】
画像形成装置１００では、画像形成を行うにあたり、感光体２の表面を帯電ユニット３で一様に帯電し、一様に帯電した感光体２の表面を書き込みユニット４により画像データ（画像情報）に応じてレーザー露光し、感光体２上に静電潜像を形成する。感光体２上に形成した静電潜像を現像ユニット５により現像してトナー像に顕像化し、顕像化したトナー像を、トナーＴとは逆極性のバイアス電圧が印加された転写ユニット１１によりシートＰ上に転写してシートＰ上にトナー像を形成する。シート収容部２００の給紙ローラ１３ａから搬送経路Ｓを通じて搬送されてきたシートＰを搬送ローラ１４及びレジストローラ１５により転写ユニット１１まで感光体２上のトナー像と同期をとって搬送する。そして、感光体２上のトナー像をシートＰに転写ユニット１１により転写する。シートＰ上に転写したトナー像を定着ユニット１２により加熱・加圧してシートＰ上に融着させ、トナー像を定着したシートＰを排出ローラ１６にて画像形成装置本体３００の外部に排出して排出トレイ１７に載置し、画像形成処理を終了する。
【００１６】
また、搬送経路Ｓは、排出ローラ１６にて逆方向に搬送されるシートＰを表裏が反転するようにレジストローラ１５よりも上流側に案内する反転経路Ｓｒを備えている。画像形成装置１００は、シートＰの表面だけでなく、裏面に画像形成を行う場合は、シートＰを排出ローラ１６から反転経路Ｓｒへ逆方向に搬送して、シートＰの表裏を反転させてレジストローラ１５へ再度導き、シートＰの表面と同様にして、シートＰの裏面にトナー像を形成して定着させた後、画像形成装置本体３００の外部に排出して排出トレイ１７に載置する。
【００１７】
（シート収容部による本体フレームへの規制構造）
ところで、画像形成装置１００では、省スペース化の観点から、装置の小型化が要求されている。しかしながら、シートＰのサイズは決められていることから、画像形成装置本体３００における本体フレーム３０１の厚み（特にシート収容部２００の側面に対向する部分の厚み）を薄くする必要がある。この例では、特に、本体フレーム３０１は、シート収容部２００の幅方向Ｘにおける他方側Ｘ２の側面に設けられた薄型の板金フレーム３０１ｂを備えている。そうすると、画像形成装置１００の運搬時や人が画像形成装置１００を側面から押さえ付けるといったように画像形成装置本体３００における本体フレーム３０１に外力が加わると、本体フレーム３０１（例えば板金フレーム３０１ｂ）が変形することがあり、場合によっては、シート収容部２００が画像形成装置本体３００から脱落することもある。このことは、本実施の形態のように、画像形成装置本体３００におけるシート収容部２００の下方が開放している場合に特に顕著となる。
【００１８】
この点、本実施の形態に係る画像形成装置１００は、次のようなシート収容部２００による本体フレーム３０１への規制構造を有している。
【００１９】
図２は、図１に示す画像形成装置１００における本体フレーム３０１及びシート収容部２００部分を示す概略斜視図である。図３は、図２に示す本体フレーム３０１及びシート収容部２００を示す分解斜視図である。図４は、シート収容部２００が画像形成装置本体３００に装着された状態でのシート収容部２００による本体フレーム３０１への規制構造を示す概略縦断面図である。図５は、シート収容部２００による本体フレーム３０１への規制構造の一例の要部を示す概略横断面図である。図６は、図５に示す本体フレーム３０１及びレール部３１０を示す斜視図である。なお、図６において板金フレーム３０１ｂの一部を省略している。図７は、図５に示す本体フレーム３０１及びレール部３１０を示す概略平面図である。図８は、図５に示す板金フレーム３０１ｂ及び片方のレール部３１０の概略斜視図である。図９は、図５に示す片方のレール部３１０を示す概略斜視図である。また、図１０は、図５に示すシート収容部２００における片方の規制部２１０を示す概略斜視図である。なお、本実施の形態に係る画像形成装置１００では、シート収容部２００は、２段のものであるが、シート収容部２００による本体フレーム３０１への規制構造は、２段のシート収容部２００のそれぞれに設けられている。
【００２０】
（第１実施形態）
本実施の形態に係る画像形成装置１００において、シート収容部２００の幅方向Ｘにおける少なくとも一方の端部（この例では両端部）には、下方に延設されて挿脱方向に沿って延びる規制部２１０が設けられている。この例では、規制部２１０は、シート収容部２００の底面２００ａから下方に突出している。シート収容部２００が画像形成装置本体３００に装着された状態において画像形成装置本体３００における本体フレーム３０１のシート収容部２００に規制部２１０が設けられる側（この例では幅方向Ｘにおける両側）の規制部２１０との対向部には、規制部２１０の下方において幅方向Ｘにおける内側に延設されて挿脱方向Ｙに沿って延びる基部３１１と、規制部２１０の幅方向Ｘにおける内側において基部３１１から上方に突出して挿脱方向Ｙに沿って延びる被規制部３１２とが設けられている。この例では、レール部３１０は基部３１１と被規制部３１２とを有している。幅方向Ｘにおける一方側Ｘ１のレール部３１０は、樹脂フレーム３０１ａに一体形成されており、幅方向Ｘにおける他方側Ｘ２のレール部３１０は、板金フレーム３０１ｂにビス等の固定部材（図示省略）で取り付けられている。
【００２１】
本実施の形態によれば、シート収容部２００が画像形成装置本体３００に装着された状態においてシート収容部２００における規制部２１０により本体フレーム３０１の幅方向Ｘにおける変形を規制することができる。これにより、たとえ画像形成装置本体３００に外力が加わっても本体フレーム３０１の変形を抑制することができる。しかも、画像形成装置本体３００における本体フレーム３０１には、基部３１１と被規制部３１２とが設けられているので、シート収容部２００が画像形成装置本体３００から脱落することを防止するための部材を画像形成装置本体３００に設けることなく、画像形成装置本体３００がシート収容部２００を下から支えることができる。これにより、シート収容部２００が画像形成装置本体３００から脱落することを防止するための構成を簡素化することができる。これらのことは、本実施の形態のように、画像形成装置本体３００におけるシート収容部２００の下方が開放している場合に特に有効となる。
【００２２】
ところで、シート収容部２００における規制部２１０が本体フレーム３０１を仮に挿脱方向Ｙにおける全体で規制する場合には、画像形成装置本体３００に外力が加わると、規制部２１０が挿脱方向Ｙにおける全体で被規制部３１２に接触することになり、それだけ規制部２１０の被規制部３１２への規制力が大きくなり、ひいてはユーザー等の操作者が画像形成装置本体３００に対してシート収容部２００を引き出し方向Ｙ２に引き出す際にシート収容部２００を引き出すための力が大きくなる。そうすると、操作者がシート収容部２００を画像形成装置本体３００から容易に引き出すことができないことがある。従って、操作者がシート収容部２００を画像形成装置本体３００から容易に引き出すことが望まれる。
【００２３】
この点、本実施の形態では、シート収容部２００における規制部２１０は、シート収容部２００が画像形成装置本体３００に装着された状態において挿脱方向Ｙにおける一部で本体フレーム３０１における被規制部３１２を規制する。こうすることで、たとえ画像形成装置本体３００に外力が加わった場合でも、規制部２１０が挿脱方向Ｙにおける一部にしか被規制部３１２に接触せず、それだけ規制部２１０の被規制部３１２への規制力が小さくなり、ひいては操作者が画像形成装置本体３００に対してシート収容部２００を引き出し方向Ｙ２に引き出す際にシート収容部２００を引き出すための力が小さくなる。これにより、操作者がシート収容部２００を画像形成装置本体３００から容易に引き出すことができる。しかも、画像形成装置本体３００に外力が加わったときの規制部２１０の被規制部３１２への規制力がシート収容部２００の画像形成装置本体３００から引き出し始めのみで加わることから、操作者がシート収容部２００を画像形成装置本体３００から操作性よく引き出すことができる。
【００２４】
（第２実施形態）
本実施の形態において、図５に示すように、シート収容部２００における規制部２１０は、レール部３１０との所定の第１隙間ｄ１を有する第１規制領域Ｒ１と、レール部３１０と接触する或いはレール部３１０との第１隙間ｄ１よりも狭い所定の第２隙間ｄ２を有する第２規制領域Ｒ２とを含んでいる。本体フレーム３０１における被規制部３１２は、シート収容部２００が画像形成装置本体３００に装着された状態において第１規制領域Ｒ１と対向する第１被規制領域Ｓ１と、第２規制領域Ｒ２と対向する第２被規制領域Ｓ２とを含んでいる。こうすることで、シート収容部２００が画像形成装置本体３００に装着された状態において画像形成装置本体３００に外力が加わったときに、第２規制領域Ｒ２において本体フレーム３０１における被規制部３１２がシート収容部２００における規制部２１０に接触して本体フレーム３０１を規制する一方で、第１規制領域Ｒ１において第１隙間ｄ１により本体フレーム３０１における被規制部３１２のシート収容部２００における規制部２１０との接触を回避することができる。これにより、操作者がシート収容部２００を画像形成装置本体３００から確実にかつ容易に引き出すことができる。
【００２５】
本実施の形態において、第２規制領域Ｒ２は、シート収容部２００の幅方向Ｘにおける両端部に設けられている。第２被規制領域Ｓ２は、本体フレーム３０１の第２規制領域Ｒ２と対向する位置に設けられている。こうすることで、シート収容部２００における規制部２１０が本体フレーム３０１を幅方向Ｘにおける両端部で規制することができ、これにより、本体フレーム３０１を安定的に規制することができる。
【００２６】
本実施の形態において、第２規制領域Ｒ２は、所定の第２規制第１幅ｈ２１の第２規制第１幅領域Ｒ２１と、第２規制第１幅ｈ２１よりも広い所定の第２規制第２幅ｈ２２の第２規制第２幅領域Ｒ２２とを含んでいる。第２被規制領域Ｓ２は、所定の第２被規制第１幅ｇ２１の第２被規制第１幅領域Ｓ２１と、第２被規制第１幅ｇ２１よりも広い所定の第２被規制第２幅ｇ２２の第２被規制第２幅領域Ｓ２２とを含んでいる。シート収容部２００が画像形成装置本体３００に装着された状態において第２規制領域Ｒ２における第２規制第１幅領域Ｒ２１と第２被規制領域Ｓ２における第２被規制第２幅領域Ｓ２２とが対向し、且つ、第２規制領域Ｒ２における第２規制第２幅領域Ｒ２２と第２被規制領域Ｓ２における第２被規制第１幅領域Ｓ２１とが対向している。そして、第２規制第２幅領域Ｒ２２は、第２規制第１幅領域Ｒ２１よりもシート収容部２００の挿入方向Ｙ１における上流側に位置している。こうすることで、シート収容部２００を画像形成装置本体３００に安定的に装着することができる。この例では、第２規制第１幅領域Ｒ２１（第２被規制第２幅領域Ｓ２２）と第２規制第２幅領域Ｒ２２（第２被規制第１幅領域Ｓ２１）との間に第１規制領域Ｒ１（第１被規制領域Ｓ１）が設けられている。第１規制領域Ｒ１の所定の第１規制第１幅ｈ１１は、第２規制第１幅領域Ｒ２１の第２規制第１幅ｈ２１と等しい又は略等しい。第１被規制領域Ｓ１の所定の第１被規制第１幅ｇ１１は、第２被規制第１幅領域Ｓ２１の第２被規制第１幅ｇ２１と等しい又は略等しい。第２規制第１幅領域Ｒ２１（第２被規制第２幅領域Ｓ２２）と第２規制第２幅領域Ｒ２２（第２被規制第１幅領域Ｓ２１）とは挿脱方向Ｙにおける距離が同じ又は略同じであってもよいし、互いに異なっていてもよい。第２規制第１幅領域Ｒ２１及び第２規制第２幅領域Ｒ２２の挿脱方向Ｙにおけるそれぞれの長さとしては、例えば、３ｍｍ程度以上とすることができる。
【００２７】
本実施の形態において、第２規制領域Ｒ２は、規制部２１０の挿脱方向Ｙにおける両端部のうち少なくとも一方の端部（この例では両端部）に設けられている。こうすることで、シート収容部２００における規制部２１０が本体フレーム３０１を挿脱方向Ｙにおける両端部のうち少なくとも一方の端部（この例では両端部）で規制することができ、これにより、本体フレーム３０１を安定的に規制することができる。この例では、本体フレーム３０１における被規制部３１２は、第１被規制領域Ｓ１と挿脱方向Ｙにおける下流側の第２被規制領域Ｓ２（第２被規制第２幅領域Ｓ２２）との間において第１被規制領域Ｓ１から第２被規制領域Ｓ２に向かうにつれて幅が次第に大きくなる傾斜領域Ｓ３を含んでいる。こうすることで、画像形成装置本体３００に対してシート収容部２００をスムーズに抜き差しすることができる。
【００２８】
（第３実施形態）
図１１は、シート収容部２００による本体フレーム３０１への規制構造の他の例の要部を示す概略横断面図である。図１１に示すように、第２規制領域Ｒ２は、第２規制第１幅領域Ｒ２１及び第２規制第２幅領域Ｒ２２に加えて、第２規制第１幅ｈ２１よりも広い且つ第２規制第２幅ｈ２２よりも狭い第２規制第３幅ｈ２３の第２規制第３幅領域Ｒ２３を含んでいる。シート収容部２００が画像形成装置本体３００に装着された状態において第２規制領域Ｒ２における第２規制第３幅領域Ｒ２３と第２被規制領域Ｓ２における第２被規制第３幅領域Ｓ２３とが対向している。そして、第２規制第３幅領域Ｒ２３は、第２規制第２幅領域Ｒ２２と第２規制第１幅領域Ｒ２１との間に位置している。こうすることで、シート収容部２００を画像形成装置本体３００にさらに安定的に装着することができる。この例では、第２規制第１幅領域Ｒ２１（第２被規制第２幅領域Ｓ２２）と第２規制第３幅領域Ｒ２３（第２被規制第３幅領域Ｓ２３）との間及び第２規制第３幅領域Ｒ２３（第２被規制第３幅領域Ｓ２３）と第２規制第２幅領域Ｒ２２（第２被規制第１幅領域Ｓ２１）との間に第１規制領域Ｒ１（第１被規制領域Ｓ１）が設けられている。挿入方向Ｙ１における上流側の第１規制領域Ｒ１の所定の第１規制第１幅ｈ１１は、第２規制第３幅領域Ｒ２３の第２規制第３幅ｈ２３と等しい又は略等しい。挿入方向Ｙ１における下流側の第１規制領域Ｒ１の所定の第１規制第２幅ｈ１２は、第２規制第１幅領域Ｒ２１の第２規制第１幅ｈ２１と等しい又は略等しい。挿入方向Ｙ１における上流側の第１被規制領域Ｓ１の所定の第１被規制第１幅ｇ１１は、第２被規制第１幅領域Ｓ２１の第２被規制第１幅ｇ２１と等しい又は略等しい。挿入方向Ｙ１における下流側の第１被規制領域Ｓ１の所定の第１被規制第２幅ｇ１２は、第２被規制第３幅領域Ｓ２３の第２被規制第３幅ｇ２３と等しい又は略等しい。第２規制第１幅領域Ｒ２１（第２被規制第２幅領域Ｓ２２）と第２規制第２幅領域Ｒ２２（第２被規制第１幅領域Ｓ２１）と第２規制第３幅領域Ｒ２３（第２被規制第３幅領域Ｓ２３）とは挿脱方向Ｙにおける距離が同じ又は略同じであってもよいし、互いに異なっていてもよい。第２規制第１幅領域Ｒ２１、第２規制第２幅領域Ｒ２２及び第２被規制第３幅領域Ｓ２３の挿脱方向Ｙにおけるそれぞれの長さとしては、例えば、３ｍｍ程度以上とすることができる。第２規制第３幅領域Ｒ２３（第２被規制第３幅領域Ｓ２３）は複数設けられていてもよい。また、本体フレーム３０１における被規制部３１２は、挿脱方向Ｙにおける下流側の第１被規制領域Ｓ１と第１被規制領域Ｓ１よりも下流側の第２被規制領域Ｓ２（第２被規制第２幅領域Ｓ２２）との間、及び、挿脱方向Ｙにおける上流側の第１被規制領域Ｓ１と第１被規制領域Ｓ１よりも下流側の第２被規制領域Ｓ２（第２被規制第３幅領域Ｓ２３）との間において傾斜領域Ｓ３を含んでいる。こうすることで、画像形成装置本体３００に対してシート収容部２００をさらにスムーズに抜き差しすることができる。
【００２９】
本実施の形態のように、第２規制領域Ｒ２は、規制部２１０の挿脱方向Ｙにおける両端部に設けられていると共に該両端部に設けられた第２規制領域Ｒ２の間にさらに１つ又は複数（この例では１つ）に設けられていることで、シート収容部２００における規制部２１０が本体フレーム３０１を挿脱方向Ｙにおける両端部と、該両端部に設けられた第２規制領域Ｒ２の間との位置で規制することができ、これにより、本体フレーム３０１をさらに安定的に規制することができる。
【００３０】
（その他の実施の形態）
本実施の形態では、シート収容部２００を２段のものとしたが、１段のものであっても、３段以上のものであってもよい。また、本実施の形態では、シート収容部２００を幅方向Ｘにおける一方側Ｘ１へシートＰを供給させる構成としたが、幅方向Ｘにおける他方側Ｘ２へシートＰを供給させる構成としてもよい。この場合、板金フレーム３０１ｂを樹脂フレーム３０１ａの幅方向Ｘにおける一方側Ｘ１に設けることができる。また、シート収容部２００を挿入方向Ｙ１へシートＰを供給させる構成としてもよい。この場合、板金フレーム３０１ｂを樹脂フレーム３０１ａの幅方向Ｘにおける両側に設けることができる。こうすることで、シート収容部２００により本体フレーム３０１を規制するだけでなく、本体フレーム３０１を幅方向Ｘの両側において薄くすることができ、さらなる省スペース化を実現させることができる。また、規制部２１０の形状を挿脱方向Ｙに沿って本体フレーム３０１と対向する辺と引き出し方向Ｙ２側の辺との角度が直角若しくは略直角の直角三角形状又は台形状とし、被規制部３１２の形状を規制部２１０の傾斜辺に沿って傾斜した長尺形状とし、シート収容部２００が画像形成装置本体３００に装着された状態において規制部２１０の傾斜辺を被規制部３１２に挿脱方向Ｙにおける少なくとも一部で接触又は近接させるようにしてもよい。
【００３１】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００３２】
１００    画像形成装置
２００    シート収容部
２００ａ  底面
２１０    規制部
３００    画像形成装置本体
３０１    本体フレーム
３０１ａ  樹脂フレーム
３０１ｂ  板金フレーム
３１０    レール部
３１１    基部
３１２    被規制部
Ｐ        シート
Ｒ１      第１規制領域
Ｒ２      第２規制領域
Ｒ２１    第２規制第１幅領域
Ｒ２２    第２規制第２幅領域
Ｒ２３    第２規制第３幅領域
Ｓ        搬送経路
Ｓ１      第１被規制領域
Ｓ２      第２被規制領域
Ｓ２１    第２被規制第１幅領域
Ｓ２２    第２被規制第２幅領域
Ｓ２３    第２被規制第３幅領域
Ｓ３      傾斜領域
Ｘ        幅方向
Ｘ１      一方側
Ｘ２      他方側
Ｙ        挿脱方向
Ｙ１      挿入方向
Ｙ２      引き出し方向
Ｚ        上下方向
ｄ１      第１隙間
ｄ２      第２隙間
ｇ１１    第１被規制第１幅
ｇ１２    第１被規制第２幅
ｇ２１    第２被規制第１幅
ｇ２２    第２被規制第２幅
ｇ２３    第２被規制第３幅
ｈ１１    第１規制第１幅
ｈ１２    第１規制第２幅
ｈ２１    第２規制第１幅
ｈ２２    第２規制第２幅
ｈ２３    第２規制第３幅
【図１】
2020038327.tif 000003
【図２】
2020038327.tif 000004
【図３】
2020038327.tif 000005
【図４】
2020038327.tif 000006
【図５】
2020038327.tif 000007
【図６】
2020038327.tif 000008
【図７】
2020038327.tif 000009
【図８】
2020038327.tif 000010
【図９】
2020038327.tif 000011
【図１０】
2020038327.tif 000012
【図１１】
2020038327.tif 000013